(57)【要約】【課題】  データ記録中に停電などの予期せぬ電源遮断が発生した場合であってもそれまでに記録したデータの消失を抑制する情報記録再生装置を提供する。【解決手段】  記録動作モードにおいて、記録終了アドレスを不揮発メモリに格納し、復旧動作モードにおいて、不揮発メモリに格納されている記録終了アドレスを読み出し（ステップＳ１１）、ＦＤＣＢの記録終了アドレスを読み出して、不揮発メモリに格納されている記録終了アドレスと一致するか否か比較する（ステップＳ１２）。そして、ＦＤＣＢの記録終了アドレスと不揮発メモリに格納されている記録終了アドレスとが異なる場合には、不揮発メモリに格納されている記録終了アドレスに基づいてＦＤＣＢのデータを更新する。【選択図】        図３
2007087487.tif 000002
【特許請求の範囲】
【請求項１】
データ記録が可能な情報記録媒体にデータを記録／再生する記録／再生手段と、
不揮発的なデータ記憶が可能なメモリと、
装置全体を制御する制御部とを備え、
前記制御部は、データ記録時に前記データの記録位置を示す記録アドレスを前記メモリに記憶し、
前記記録／再生手段は、前記制御部の指示に従って前記データ記録完了後、前記情報記録媒体に対して、前記データ記録に関する管理情報に含まれる最終のデータ記録位置を示す記録アドレスである記録終了アドレスを記録更新し、
前記制御部は、前記データ記録の中断が生じた後、前記データ記録を再開する際に、前記情報記録媒体の管理情報に含まれる前記記録終了アドレスの再生を前記記録／再生手段に指示し、
前記記録／再生手段は、前記メモリに記憶された記録アドレスと再生された前記記録終了アドレスとの比較結果に基づいて前記メモリに記憶された前記記録アドレスを前記記録終了アドレスとして前記情報記録媒体に対して記録更新し、
前記情報記録媒体は、前記管理情報を記憶する管理領域と、前記データを記録するデータ領域とを有し、
前記データ領域は、各々が最小のアクセス単位である複数のセクタ領域に分割され、
前記制御部は、各セクタ領域毎のデータ記録完了後に前記記録アドレスを前記メモリに記憶し、
前記記録／再生手段は、前記データ記録完了後、前記情報記録媒体に対して最終のデータ記録位置の後にリードアウトをさらに記録し、前記データ記録の中断が生じた後、前記データ記録を再開する際に、前記メモリに記憶された前記記録アドレスであるデータ記録位置の後にリードアウトをさらに記録する、情報記録再生装置。
【請求項２】
データ記録が可能な情報記録媒体にデータを記録／再生する記録／再生手段と、
不揮発的なデータ記憶が可能なメモリと、
装置全体を制御する制御部とを備え、
前記制御部は、データ記録時に前記データの記録位置を示す記録アドレスを前記メモリに記憶し、
前記記録／再生手段は、前記制御部の指示に従って前記データ記録完了後、前記情報記録媒体に対して、前記データ記録に関する管理情報に含まれる最終のデータ記録位置を示す記録アドレスである記録終了アドレスを記録更新し、前記データ記録の中断が生じた後、前記データ記録を再開する際に、前記制御部の指示に従って前記メモリに記憶された前記記録アドレスに基づいて前記情報記録媒体の管理情報に含まれる前記記録終了アドレスを記録更新する、情報記録再生装置。
【請求項３】
前記情報記録媒体は、前記管理情報を記憶する管理領域と、前記データを記録するデータ領域とを有し、
前記データ領域は、各々が最小のアクセス単位である複数のセクタ領域に分割され、
前記制御部は、各セクタ領域毎のデータ記録完了後に前記記録アドレスを前記メモリに記憶する、請求項２記載の情報記録再生装置。
【請求項４】
前記記録／再生手段は、前記データ記録完了後、前記情報記録媒体に対して最終のデータ記録位置の後にリードアウトをさらに記録し、前記データ記録の中断が生じた後、前記データ記録を再開する際に、前記メモリに記憶された前記記録アドレスであるデータ記録位置の後にリードアウトをさらに記録する、請求項２記載の情報記録再生装置。
【請求項５】
前記制御部は、前記データ記録の中断が生じた後、前記データ記録を再開する際に、前記情報記録媒体の管理情報に含まれる前記記録終了アドレスの再生を前記記録／再生手段に指示し、
前記記録／再生手段は、前記メモリに記憶された記録アドレスと再生された前記記録終了アドレスとの比較結果に基づいて前記メモリに記憶された前記記録アドレスを前記記録終了アドレスとして前記情報記録媒体に対して記録更新する、請求項２記載の情報記録再生装置。
【発明の詳細な説明】
【技術分野】
【０００１】
本発明は、例えばＤＶＤ（Digital Versatile Disc）等の光ディスクに対して、情報の記録及び／又は再生を行なう情報記録再生装置に関する。
【背景技術】
【０００２】
記録型ＤＶＤディスクであるＤＶＤ＋ＲＷディスクへデータ記録を行う場合、データ記録前にフォーマット処理を行う必要がある。
【０００３】
ＤＶＤ＋ＲＷディスクでは、ユーザからのフォーマット要求に対して、リードイン領域の一部を記録しただけでユーザに対してフォーマット完了を通知し、ユーザからのアクセス要求によるアクセスが無い時間に残りの領域をダミーデータで記録する、いわゆるバックグラウンドフォーマットが実行される。
【０００４】
このバックグラウンドフォーマットにより、従来は長時間を要していたフォーマット処理時間が大幅に低減されることとなった。
【０００５】
バックグラウンドフォーマットでは、データ領域の内周から連続的にダミーデータで記録が行なわれる。
【０００６】
バックグラウンドフォーマット中、ユーザからのデータ記録要求があった場合、バックグラウンドフォーマットを中断し、連続的に記録されている最終アドレス（Ｌａｓｔ Ｗｒｉｔｔｅｎ Ａｄｄｒｅｓｓ、以下「ＬＷＡ」と略称する）を更新した後、要求されたデータ記録を行なう。
【０００７】
そして、データ記録が完了した後は、ＬＷＡから再度フォーマット処理を再開する。ここで、バックグラウンドフォーマット中、ユーザは全データ領域に対してランダムにデータ記録が可能となる。
【０００８】
つまり、フォーマット処理によりダミーデータ記録前の領域であってもデータが記録可能であるため、バックグラウンドフォーマット中にユーザデータ記録を行った場合、データ記録領域と未記録領域とが混在することになる。このようなデータ記録領域と未記録領域とが混在する状態でバックグラウンドフォーマットを再開する場合は、ユーザが記録した領域を除いてダミーデータで記録を行なう必要があるため、例えば記録単位である領域（ＤＶＤ＋ＲＷディスクの場合は１ＥＣＣブロック＝１６セクタ）に対してその領域の記録状態を１ビットのフラグ（ビットマップ情報）で管理する方式を採用する情報記録再生装置が一般的である。
【０００９】
すなわち、ユーザがデータ記録を行った領域がＬＷＡよりも外周であった場合、当該領域に相当するビットマップ上のフラグを“記録済み”に設定する。その後、バックグラウンドフォーマットを再開する場合は、このビットマップ情報を参照して未記録領域のみダミーデータ記録を行う。
【００１０】
また、ＤＶＤ＋ＲＷディスクではバックグラウンドフォーマットを中断してディスクを取り出すことも可能となっている。
【００１１】
この場合、ＬＷＡ及びビットマップ情報をリードイン領域内のフォーマッティングディスクコントロールブロック（Ｆｏｒｍａｔｔｉｎｇ Ｄｉｓｃ Ｃｏｎｔｒｏｌ Ｂｌｏｃｋ、以下「ＦＤＣＢ」と略称する）内に記録する。
【００１２】
フォーマット途中のディスクが再度挿入された場合、ＦＤＣＢを参照することによってバックグラウンドフォーマット再開に際して未記録領域のみをダミーデータで記録することが可能となっている。
【００１３】
このように、バックグラウンドフォーマットを中断してディスクの取り出しを行う場合、ＦＤＣＢはディスクの記録状態を知る上で非常に重要な情報であり、ＦＤＣＢの更新を誤るとユーザが記録したデータをバックグラウンドフォーマットによりダミーデータで上書きしてしまうといった問題が発生してしまう。
【００１４】
一方でＤＶＤ＋ＲＷディスクを用いた応用例として、例えばＴＶ番組などをリアルタイムに録画するといった用途があり、そのようなリアルタイムなデータ記録においては比較的低い転送レートで且つ一定間隔でユーザからデータ記録要求が行われる。そのため、バックグラウンドフォーマット中にリアルタイムなデータ記録を行う場合は、フォーマット処理によるダミーデータ記録は行われず、ユーザからのデータ記録が録画時間だけ続くことになる。言い換えると、リアルタイムなデータ記録中はＦＤＣＢの記録更新を行なうことができず、例えば、録画中に停電などによる予期せぬ電源遮断などが発生した場合など、ＦＤＣＢを正常に更新することができないという問題あった。
【００１５】
そのようなディスクが再度挿入された場合、バックグラウンドフォーマット再開に際して参照するＬＷＡやビットマップ情報は誤った情報が記録されているため、録画中に記録したユーザデータをフォーマットによるダミーデータで上書きしてしまうといった問題も発生する。
【００１６】
この点で、特開２００５−３８５７０号公報においては、データ記録を実行する際にキャッシュメモリに格納されるデータ量が所定の閾値を越えたか否かに基づいて、ディスクへのユーザからのデータ記録を一時的に中断してその中断している際にＦＤＣＢの更新を実行する方式が開示されている。
【特許文献１】特開２００５−３８５７０号公報
【発明の開示】
【発明が解決しようとする課題】
【００１７】
しかしながら、上記公報に示される方式では、データ量が所定の閾値を越える毎にデータ記録を一時的に中断しなければならず、データ記録のパフォーマンスが低下することになる。また、所定の閾値を越える毎にディスクのＦＤＣＢを更新する方式であるためＦＤＣＢの更新回数が増加することにもなる。この点で、ＦＤＣＢの更新回数は、無制限に繰り返すことはできず、ディスクの劣化を引起こす要因ともなり得る。
【００１８】
本発明は、上記のような問題を解決するためになされたものであって、データ記録のパフォーマンスの低下あるいはディスクの劣化を抑制しつつ、データ記録中に停電などの予期せぬ電源遮断が発生した場合であってもそれまでに記録したデータの消失を抑制する情報記録再生装置を提供することを目的とする。
【課題を解決するための手段】
【００１９】
本発明に係る情報記録再生装置は、データ記録が可能な情報記録媒体にデータを記録／再生する記録／再生手段と、不揮発的なデータ記憶が可能なメモリと、装置全体を制御する制御部とを備える。制御部は、データ記録時にデータの記録位置を示す記録アドレスをメモリに記憶する。記録／再生手段は、制御部の指示に従ってデータ記録完了後、情報記録媒体に対して、データ記録に関する管理情報に含まれる最終のデータ記録位置を示す記録アドレスである記録終了アドレスを記録更新する。制御部は、データ記録の中断が生じた後、データ記録を再開する際に、情報記録媒体の管理情報に含まれる記録終了アドレスの再生を記録／再生手段に指示する。記録／再生手段は、メモリに記憶された記録アドレスと再生された記録終了アドレスとの比較結果に基づいてメモリに記憶された記録アドレスを記録終了アドレスとして情報記録媒体に対して記録更新する。情報記録媒体は、管理情報を記憶する管理領域と、データを記録するデータ領域とを有する。データ領域は、各々が最小のアクセス単位である複数のセクタ領域に分割される。制御部は、各セクタ領域毎のデータ記録完了後に記録アドレスをメモリに記憶する。記録／再生手段は、データ記録完了後、情報記録媒体に対して最終のデータ記録位置の後にリードアウトをさらに記録し、データ記録の中断が生じた後、データ記録を再開する際に、メモリに記憶された記録アドレスであるデータ記録位置の後にリードアウトをさらに記録する。
【００２０】
本発明に係る情報記録再生装置は、データ記録が可能な情報記録媒体にデータを記録／再生する記録／再生手段と、不揮発的なデータ記憶が可能なメモリと、装置全体を制御する制御部とを備える。制御部は、データ記録時にデータの記録位置を示す記録アドレスをメモリに記憶する。記録／再生手段は、制御部の指示に従ってデータ記録完了後、情報記録媒体に対して、データ記録に関する管理情報に含まれる最終のデータ記録位置を示す記録アドレスである記録終了アドレスを記録更新し、データ記録の中断が生じた後、データ記録を再開する際に、制御部の指示に従ってメモリに記憶された記録アドレスに基づいて情報記録媒体の管理情報に含まれる記録終了アドレスを記録更新する。
【００２１】
好ましくは、情報記録媒体は、管理情報を記憶する管理領域と、データを記録するデータ領域とを有する。データ領域は、各々が最小のアクセス単位である複数のセクタ領域に分割される。
【００２２】
好ましくは、各セクタ領域毎のデータ記録完了後に記録アドレスをメモリに記憶する。
好ましくは、記録／再生手段は、データ記録完了後、情報記録媒体に対して最終のデータ記録位置の後にリードアウトをさらに記録し、データ記録の中断が生じた後、データ記録を再開する際に、メモリに記憶された記録アドレスであるデータ記録位置の後にリードアウトをさらに記録する。
【００２３】
好ましくは、制御部は、データ記録の中断が生じた後、データ記録を再開する際に、情報記録媒体の管理情報に含まれる記録終了アドレスの再生を記録／再生手段に指示する。記録／再生手段は、メモリに記憶された記録アドレスと再生された記録終了アドレスとの比較結果に基づいてメモリに記憶された記録アドレスを記録終了アドレスとして情報記録媒体に対して記録更新する。
【発明の効果】
【００２４】
本発明に係る情報記録再生装置において、制御部は、データ記録時にデータの記録位置を示す記録アドレスをメモリに記憶し、データ記録の中断が生じた後、データ記録を再開する際に、制御部の指示に従ってメモリに記憶された記録アドレスに基づいて情報記録媒体の管理情報に含まれる記録終了アドレスを記録更新する。したがって、データ記録中に停電などの予期せぬ電源遮断が発生した場合であってもそれまでに記録したデータの消失を抑制することができる。
【発明を実施するための最良の形態】
【００２５】
以下、本発明の実施の形態について図面を参照しながら詳細に説明する。なお、図中同一または相当部分には同一符号を付し、その説明は繰返さない。
【００２６】
図１は、本発明の実施の形態に従う情報記録再生装置の概略ブロック図である。
図１を参照して、情報記録再生装置１は、ＤＶＤ等の同心円状又は渦巻状の情報記録トラックが形成された光ディスク７０に対して、音楽や映像等の情報の記録及び／又は再生を行なう。
【００２７】
情報記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、情報記録再生装置１は、映像・音声信号入出力部１０と、リモコン１１と、リモコン受信部１２と、表示部１３と、不揮発メモリ１５と、上記各部を制御するための制御部２０とを備えている。
【００２８】
ディスク挿入検知部２は、光ディスクが不図示のディスク挿入部から挿入されてディスクトレイに載置されたことを検出し、その信号を制御部２０へ入力する。なお、挿入された光ディスク７０は、スピンドルモータ３に装着される。スピンドルモータ３は、制御部２０からの指示に従い回転駆動され、装着された光ディスク７０が所定速度で回転するように制御する。
【００２９】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００３０】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００３１】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００３２】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００３３】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００３４】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００３５】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００３６】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００３７】
リモコン１１は、情報記録再生装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、情報記録再生装置１本体のフロントパネルに設けられ、リモコン１１により操作された内容や情報記録再生装置１の動作状況等を表示する。
【００３８】
なお、制御部２０は、図示しないが各種動作の実行たとえばバックグラウンドフォーマットを指示するための制御プログラムあるいは初期動作、通常のデータ書込、読出あるいは後述する復旧処理等を実行するための制御プログラム等、種々の制御プラグラムを格納している記憶部を有するものとする。
【００３９】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００４０】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００４１】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００４２】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００４３】
次に、ＤＶＤ＋ＲＷディスクのＦＤＣＢのデータ内容を説明する。
【００４４】
【表１】
2007087487.tif 000003
【００４５】
ここでは、ＦＤＣＢの一部として物理セクタとして１６セクタ（０〜１５）が一例として示されている。なお、１セクタは２０４８データで構成されている。一例として、セクタ０の物理セクタに関して、メインデータＤ０〜Ｄ２０４７バイトが示されており、そのデータの中には、フォーマットに関する情報や製造者に関する情報等が含まれている。その中で、メインデータＤ４８〜Ｄ５１にＬＷＡ（Ｌａｓｔ Ｗｒｉｔｔｅｎ Ａｄｄｒｅｓｓ）である最後に記録されたアドレス（記録アドレス）が記録されている。
【００４６】
図２は、本発明の実施の形態に従うデータ記録を説明するフロー図である。
図２を参照して、たとえば、ユーザからのデータ記録の要求指示が入力された場合、制御部は、記録動作モードに移行する（ステップＳ０）。そして、次に、データ記録処理を実行する（ステップＳ１）。データ記録処理の詳細については一般的な技術であるためここでは省略する。
【００４７】
そして、データ記録処理が正常に完了したかどうかを判断する（ステップＳ２）。具体的には、最後に記録されたアドレスの後にリードアウト（Ｒｅａｄ  Ｏｕｔ）が記憶されたかどうかにより判定することが可能である。
【００４８】
ステップＳ２において、制御部２０は、データ記録処理が完了したと判断した場合には、データ記録の最終の記録位置である記録アドレスを記録終了アドレスとして不揮発メモリ１５に格納する。
【００４９】
そして、記録動作モードを終了する（ステップＳ６）。
一方、ステップＳ２において、制御部２０は、データ記録処理が完了していないと判断した場合には、エラー処理を実行する（ステップＳ５）。たとえば、データ記録処理が完了していないと判断する場合として、停電などの予期せぬ電源遮断が発生した場合が挙げられる。当該場合には、制御部２０は、エラー処理として機器に何らかの不具合が発生したものとして機器の安全を確保しつつ動作を終了させる。なお、この際、制御部２０は、たとえばエラーが生じたことを示すフラグを記憶部に記憶しておいて、再度電源が立ち上がった際に適切に復旧処理が実行されるように準備しておくものとする。そして、さらに、ステップＳ３に進み、データ記録の最終の記録位置である記録アドレスを記録終了アドレスとして不揮発メモリ１５に格納する。そして、ステップＳ６に進む。なお、停電などの予期せぬ電源遮断が発生した場合には、図示しないバックアップ電源を用いて所定のエラー処理等の動作を実行するものとする。
【００５０】
図３は、本発明の実施の形態に従う復旧動作を説明するフロー図である。
図３を参照して、制御部２０は、電源が立ち上がった際に、たとえばエラーが生じたことを示すフラグが立っていた場合すなわち記憶部に記憶されていた場合、復旧動作モードに移行する（ステップＳ１０）。
【００５１】
そして、制御部２０は、不揮発メモリ１５に格納されている記録終了アドレスを読み出す（ステップＳ１１）。
【００５２】
そして、制御部２０は、光ディスク７０の管理領域に記憶されたＦＤＣＢデータの記録終了アドレスを読み出して、不揮発メモリ１５に格納されている記録終了アドレスと一致するか否か比較する（ステップＳ１２）。なお、制御部２０は、この際に光ディスク７０の管理領域に記録されている図２で説明したＦＤＣＢのデータに含まれる最終記録アドレスの情報を読み出すものとする。
【００５３】
そして、ステップＳ１２において、ＦＤＣＢの記録終了アドレスと不揮発メモリ１５に格納されている記録終了アドレスとが異なる場合には、不揮発メモリ１５に格納されている記録終了アドレスに基づいてＦＤＣＢのデータを更新する（ステップＳ１３）。すなわち、光ディスク７０の管理領域に記録されている図２で説明したＬＮＡの値を更新するものとする。そして、その最終記録アドレス位置の後にリードアウトを記録する（ステップＳ１４）。そして、復旧動作モードを終了する（ステップＳ１５）。
【００５４】
一方、ステップＳ１２において、ＦＤＣＢの記録終了アドレスと不揮発メモリ１５に格納されている記録終了アドレスとが一致する場合には、データ記録処理に関してエラーが生じていないと判断して復旧動作モードを終了する（ステップＳ１５）。
【００５５】
したがって、本発明の実施の形態に従う構成においては、停電などの予期せぬ電源遮断等が生じた場合であっても、不揮発メモリ１５に記憶した記録終了アドレスに基づいてＦＤＣＢを更新することが可能であるため、それまでに記録したデータの消失を抑制することが可能となる。
【００５６】
また、本発明の実施の形態に従う構成においては、機器が記録終了アドレスを不揮発メモリに保持する構成であるため、光ディスク７０の記録処理に関するパフォーマンスを低下させることもなく、さらには、ＦＤＣＢの更新回数が増加することもなく、光ディスクの劣化も抑制することができる。
【００５７】
なお、図２に従う方式においては、データ記録処理が完了した後に、記録終了アドレスを不揮発メモリ１５に格納する場合について説明したが、データ記録処理を実行している期間中に不揮発メモリ１５にその時点での記録アドレスを格納させておくことも当然に可能である。
【００５８】
図４は、本発明の実施の形態の変形例に従うデータ記録を説明するフロー図である。
図４を参照して、たとえば、ユーザからのデータ記録の要求指示が入力された場合、制御部は、記録動作モードに移行する（ステップＳ０）。そして、データ記録を実行する（ステップＳ１＃）。次に光ディスクにデータ記録を実行した位置の記録アドレスを不揮発メモリ１５に格納する（ステップＳ３＃）。そして、データ記録の記録処理が終了したか否かを判断し（ステップＳ４）、記録処理が終了するまで、上記のステップＳ１＃およびＳ３＃を繰り返すものとする。そして、ステップＳ４において、データ記録の記録処理が終了した場合には、次に、データ記録処理が正常に完了したかどうかを判断する（ステップＳ２）。具体的には、最後に記録されたアドレスの後にリードアウト（Ｒｅａｄ  Ｏｕｔ）が記憶されたかどうかにより判定することが可能である。
【００５９】
ステップＳ２において、制御部２０は、データ記録処理が完了したと判断した場合には、記録動作モードを終了する（ステップＳ６）。
【００６０】
一方、ステップＳ２において、制御部２０は、データ記録処理が完了していないと判断した場合には、上述したエラー処理を実行し（ステップＳ５）、そしてステップＳ６に進む。
【００６１】
なお、復旧動作については、図３で説明したのと同様である。
この場合、データ記録中に記録アドレスが不揮発メモリ１５に格納される方式であり、ため最新の記録アドレスが不揮発メモリ１５に更新されるため停電などの予期せぬ電源遮断等が生じた場合であっても、不揮発メモリ１５に記憶した記録終了アドレスに基づいてＦＤＣＢを更新することが可能であるため、それまでに記録したデータの消失を抑制することが可能となる。
【００６２】
なお、記録アドレスを不揮発メモリに格納するタイミング等については、通常、最小のデータ書込単位がセクタ毎であるためセクタ毎に記録アドレスを不揮発メモリ１５に格納することができる。また、これに限られず、たとえばセクタ毎に限らず、所定期間毎あるいは、所定データ量毎に不揮発メモリ１５に格納することができる。ただし、この場合であっても、機器の内部において不揮発メモリ１５に記録アドレスを格納する方式であるためディスクへのデータ記録を一時的に中断せしめるものではなく、ディスクの記録処理に関するパフォーマンスを低下させることを防ぐことが可能である。
【００６３】
なお、本例においては、ＤＶＤ＋ＲＷディスクを例に挙げて主に説明したがこれに限られず、同様の方式に従ってＤＶＤ−ＲＷディスクあるいは、他の光ディスクにも同様に適用可能である。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の実施の形態に従う情報記録再生装置の概略ブロック図である。
【図２】本発明の実施の形態に従うデータ記録を説明するフロー図である。
【図３】本発明の実施の形態に従う復旧動作を説明するフロー図である。
【図４】本発明の実施の形態の変形例に従うデータ記録を説明するフロー図である。
【符号の説明】
【００６６】
１  情報記録再生装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、１５  不揮発メモリ、２０  制御部。
【図１】
2007087487.tif 000004
【図２】
2007087487.tif 000005
【図３】
2007087487.tif 000006
【図４】
2007087487.tif 000007